(57)【要約】【課題】  蓋後付の回動空間を小さくすることができ、それにより、鍵盤蓋をコンパクトに開閉することができる鍵盤楽器の鍵盤蓋装置を提供する。【解決手段】  楽器本体３の左右の腕木５，５の間に配置された鍵盤ＫＢを回動自在に開閉する鍵盤蓋９を含む鍵盤楽器２の鍵盤蓋装置１であって、鍵盤蓋９は、蓋本体１４と、蓋本体１４の後端部に水平軸線回りに回動自在に連結された蓋後付１７と、を有し、第１支持部１９ａおよび第２支持部１９ｂからＬ字状に形成され、その角部１９ｃにおいて支点２３に水平軸線回りに回動自在に支持されるとともに、第１支持部１９ａが蓋本体１４に固定され、第２支持部１９ｂが蓋後付１７に着脱自在に係合するステー１９と、腕木５に設けられ、開放位置側への鍵盤蓋９の回動の途中で、蓋後付１７が当接することによって蓋後付１７の回動を阻止する開放時ストッパ２４と、を備える。【選択図】  図５
2005292415.tif 000002
【特許請求の範囲】
【請求項１】
楽器本体の左右の腕木の間に配置された鍵盤を開放位置と閉鎖位置の間で回動自在に開閉する鍵盤蓋を含む鍵盤楽器の鍵盤蓋装置であって、
前記鍵盤蓋は、
蓋本体と、
当該蓋本体の後端部に水平軸線回りに回動自在に連結された蓋後付と、を有し、
第１支持部および第２支持部からＬ字状に形成され、その角部において支点に水平軸線回りに回動自在に支持されるとともに、前記第１支持部が前記蓋本体に固定され、前記第２支持部が前記蓋後付に着脱自在に係合するステーと、
前記腕木に設けられ、前記開放位置側への前記鍵盤蓋の回動の途中で、前記蓋後付が当接することによって当該蓋後付の回動を阻止する開放時ストッパと、
を備えることを特徴とする鍵盤楽器の鍵盤蓋装置。
【請求項２】
前記蓋後付に、前記鍵盤蓋が前記閉鎖位置側に回動したときに、前記楽器本体に当接することにより、前記蓋後付を前記閉鎖位置に位置決めする閉鎖時ストッパが設けられていることを特徴とする、請求項１に記載の鍵盤楽器の鍵盤蓋装置。
【請求項３】
前記蓋後付の側面に、前方が閉鎖され且つ後方に開放し、前記ステーの前記第２支持部が後方から係合する座ぐりが形成されていることを特徴とする、請求項１または２に記載の鍵盤楽器の鍵盤蓋装置。
【請求項４】
前記ステーの前記第２支持部に、後方に延び且つ内方に突出するとともに、前記閉鎖位置側への前記鍵盤蓋の回動の途中で、当該蓋後付に後方から当接し、これを押圧する押圧部が設けられていることを特徴とする、請求項１ないし３のいずれかに記載の鍵盤楽器の鍵盤蓋装置。
【請求項５】
前記蓋本体は、互いに前後に配置され、回動自在に連結された第１および第２の蓋本体で構成されていることを特徴とする、請求項１ないし４のいずれかに記載の鍵盤楽器の鍵盤蓋装置。
【発明の詳細な説明】
【技術分野】
【０００１】
本発明は、楽器本体の左右の腕木の間に配置された鍵盤を開放位置と閉鎖位置の間で回動自在に開閉する鍵盤蓋を含む鍵盤楽器の鍵盤蓋装置に関する。
【背景技術】
【０００２】
従来のこの種のグランドピアノの鍵盤蓋装置として、例えば特許文献１に開示されたものが知られている。また、従来のアップライトピアノの鍵盤蓋装置として、図６〜図８に示したものが知られている。これらの図に示すように、この鍵盤蓋装置５０の、鍵盤蓋５１は、互いに前後に配置された第１蓋本体５２ａおよび第２蓋本体５２ｂから成る蓋本体５２と、蓋後付５３を備えている。第１蓋本体５２ａは、平板部５２ｃと、その前端部に取り付けられた垂下部５２ｄから、一体に構成されている。また、第１蓋本体５２ａは、平板部５２ｃの後端部において、第１蝶番６０を介して、第２蓋本体５２ｂに回動自在に取り付けられている。第２蓋本体５２ｂの後端部は、他の部分よりも上面が低くなっており、この部分に、上方に垂直に延びるように蓋後付５３が固定されている。また、第２蓋本体５２ｂは、その後端部において、第２蝶番６２を介して、鍵押さえ５４に回動自在に連結されている。さらに、腕木６３には、第２蝶番６２よりも後方の所定位置にストッパ５５が設けられている。
【０００３】
以上の構成により、図６に示す閉鎖位置から第１蓋本体５２ａを押し上げると、第１蓋本体５２ａは、第１蝶番６０を中心として、同図の反時計方向に回動し、第２蓋本体５２ｂの上面に当接することにより、第２蓋本体５２ｂに対して折りたたまれた状態になる（図７参照）。次に、第２蓋本体５２ｂを押し上げると、鍵盤蓋５１は、第２蝶番６２を中心として反時計方向に回動し、蓋後付５３が、ストッパ５５に当接することによって、開放位置に位置決めされ、鍵盤５６が開放される（図８参照）。この開放位置では、第２蓋本体５２ｂが、屋根前付５７と鍵盤５６との間の開口を塞ぐようになっている。一方、この開放位置から第２蓋本体５２ｂの取手５９を手前側に引くと、鍵盤蓋５１は、時計方向に回動し、第２蓋本体５２ｂの裏面の左右端部に設けたストッパ５２ｅが、拍子木（図示せず）に当接することによって、その回動が阻止される（図７参照）。この状態から第１蓋本体５２ａを手前側に引くと、第１蓋本体５２ａが、第１蝶番６０を中心として時計方向に回動し、その垂下部５２ｄが口棒５８に当接することによって、閉鎖位置に位置決めされ、鍵盤５６が閉鎖される（図６参照）。この閉鎖位置では、蓋後付５３が、屋根前付５７との間の開口を塞ぐようになっている。
【０００４】
しかし、上述した従来のアップライトピアノの鍵盤蓋装置５０では、蓋後付５３が第２蓋本体５２ｂに固定されているので、鍵盤蓋５１が回動する際には、蓋本体５２と蓋後付５３が一体となって回動する。また、蓋後付５３が第２蓋本体５２ｂに対して垂直上方に延びているので、鍵盤蓋５１が開放位置と閉鎖位置の間で回動する際に、蓋後付５３が回動するのに必要な空間（以下「回動空間」という）が大きくなり、鍵盤蓋５１をコンパクトに開閉できないという問題がある。
【０００５】
この問題は、この鍵盤蓋装置５０を、例えば鍵盤蓋５１の後方にハンマーやアクション機構を備えた電子ピアノに適用した場合には、特に顕著になる。すなわち、このような電子ピアノでは一般に、アップライトピアノと比べて、その奥行きが短いため、第２蝶番６２よりも後方の空間が小さい。このため、鍵盤蓋５１が開放位置側へ回動する場合には、蓋後付５３の回動空間が大きいことにより、蓋後付５３がアクション機構に接触するおそれがある。このような不具合は、第２蝶番６２よりも後方の空間を大きくすることによって回避することが可能である。しかし、その場合には、この空間を大きくした分だけ電子ピアノの奥行きが長くなり、電子ピアノが大型化してしまう。
【０００６】
本発明は、このような課題を解決するためになされたものであり、蓋後付の回動空間を小さくすることができ、それにより、鍵盤蓋をコンパクトに開閉することができる鍵盤楽器の鍵盤蓋装置に関する。
【０００７】
【特許文献１】特開平１０−１４９１５３号公報
【発明の開示】
【課題を解決するための手段】
【０００８】
この目的を達成するために、請求項１に係る発明は、楽器本体の左右の腕木の間に配置された鍵盤を開放位置と閉鎖位置の間で回動自在に開閉する鍵盤蓋を含む鍵盤楽器の鍵盤蓋装置であって、鍵盤蓋は、蓋本体と、蓋本体の後端部に水平軸線回りに回動自在に連結された蓋後付と、を有し、第１支持部および第２支持部からＬ字状に形成され、その角部において支点に水平軸線回りに回動自在に支持されるとともに、第１支持部が蓋本体に固定され、第２支持部が蓋後付に着脱自在に係合するステーと、腕木に設けられ、開放位置側への鍵盤蓋の回動の途中で、蓋後付が当接することによって蓋後付の回動を阻止する開放時ストッパと、を備えることを特徴とする。
【０００９】
この構成によれば、鍵盤蓋は、蓋本体と、その後端部に回動自在に連結された蓋後付とで構成され、支点を中心として開放位置と閉鎖位置の間で回動することによって、鍵盤を開閉する。また、蓋本体には、Ｌ字状のステーの第１支持部が固定されており、閉鎖位置では、ステーの第２支持部が蓋後付に係合していることによって、鍵盤蓋は、ステーを介して、蓋本体と蓋後付から側面形状がＬ字状に保持されている。この閉鎖位置から開放位置側に鍵盤蓋を回動させると、その回動の初期においては、鍵盤蓋は、その側面形状をＬ字状に保持したまま回動する。また、この回動の途中で、蓋後付が開放時ストッパに当接することによって、蓋後付の回動が阻止され、それにより、ステーの第２支持部が蓋後付から外れ、蓋本体のみがステーとともに開放位置まで回動する。このように、鍵盤蓋の回動の途中から、蓋後付を開放時ストッパ位置に残したまま、蓋本体が蓋後付に対して折りたたまれながら開放位置まで回動するので、蓋後付の回動空間を小さくすることができる。
【００１０】
一方、開放位置から閉鎖位置側に鍵盤蓋を回動させると、その回動の初期においては、蓋後付が開放時ストッパに当接した状態に保持されるとともに、蓋本体は蓋後付に対して広がりながら回動する。そして、この回動の途中で、ステーの第２支持部が、蓋後付に係合し、その後は、蓋本体と蓋後付は、ステーを介して一体になった状態で、Ｌ字状に保持されながら、閉鎖位置まで回動する。以上のように、本発明によれば、鍵盤蓋を開放位置と閉鎖位置の間で回動させる際に、蓋後付の回動空間を小さくすることができ、それにより、鍵盤蓋をコンパクトに開閉することができる。また、従来の鍵盤蓋の開閉動作と同様、鍵盤蓋を押したり引いたりするだけの操作で、上記の動作を得ることができる。
【００１１】
請求項２に係る発明は、請求項１に記載の鍵盤楽器の鍵盤蓋装置であって、蓋後付に、鍵盤蓋が閉鎖位置側に回動したときに、楽器本体に当接することにより、蓋後付を閉鎖位置に位置決めする閉鎖時ストッパが設けられていることを特徴とする。
【００１２】
この構成によれば、鍵盤蓋が閉鎖位置側に回動したときに、蓋後付に設けられた閉鎖時ストッパが楽器本体に当接することによって、蓋後付を、閉鎖位置を超えて回動しすぎないように、閉鎖位置に位置決めすることができる。
【００１３】
請求項３に係る発明は、請求項１または２に記載の鍵盤楽器の鍵盤蓋装置であって、蓋後付の側面に、前方が閉鎖され且つ後方に開放し、ステーの第２支持部が後方から係合する座ぐりが形成されていることを特徴とする。
【００１４】
この構成によれば、鍵盤蓋の開放位置側への回動の途中で、蓋後付が開放時ストッパに当接したときに、ステーの第２支持部が蓋後付から容易に外れる。一方、鍵盤蓋の閉鎖位置側への回動の途中で、ステーの第２支持部が蓋後付に係合する際には、この第２支持部は、座ぐりの閉鎖された縁部に当接することによって、蓋後付に係止される。したがって、蓋後付へのステーの第２支持部の係合と、両者が一体になった状態での閉鎖位置までの回動を円滑かつ確実に行うことができる。また、例えば座ぐりの深さを、ステーの厚さよりも若干大きく設定することによって、蓋後付とステーの側面をほぼ面一にすることが可能であり、それにより、閉鎖位置において第２支持部を蓋後付にコンパクトに収容することができる。
【００１５】
請求項４に係る発明は、請求項１ないし３のいずれかに記載の鍵盤楽器の鍵盤蓋装置であって、ステーの第２支持部に、後方に延び且つ内方に突出するとともに、閉鎖位置側への鍵盤蓋の回動の途中で、蓋後付に後方から当接し、これを押圧する押圧部が設けられていることを特徴とする。
【００１６】
この構成によれば、鍵盤蓋の閉鎖位置側への回動の途中で、ステーの第２支持部に設けられた押圧部が蓋後付に後方から当接することによって、これを押圧し、持ち上げるので、蓋後付を閉鎖位置まで確実に回動させることができる。
【００１７】
請求項５に係る発明は、請求項１ないし４のいずれかに記載の鍵盤楽器の鍵盤蓋装置であって、蓋本体は、互いに前後に配置され、回動自在に連結された第１および第２の蓋本体で構成されていることを特徴とする。
【００１８】
この構成によれば、第１および第２の蓋本体は互いに回動自在に連結されているので、例えば鍵盤蓋を開放する際に、第１蓋本体を第２蓋本体に対してあらかじめ、折りたたむことによって、蓋本体全体としての回動空間を小さくすることができる。また、閉鎖位置において蓋後付が覆っていた楽器本体の開口を、開放位置において蓋本体で覆う場合には、折りたたまれた蓋本体によって、この開口をぴったりと覆うことができる。
【図面の簡単な説明】
【００１９】
【図１】本発明の実施形態による鍵盤蓋装置の（ａ）鍵盤蓋および（ｂ）ステーの側面図である。
【図２】図１の鍵盤蓋を含む電子ピアノの鍵盤蓋装置を鍵盤蓋の閉鎖位置において示す側面図である。
【図３】図２の閉鎖位置から第１蓋本体を折りたたんだ状態を示す側面図である。
【図４】図３の状態から鍵盤蓋を途中まで回動させた状態を示す側面図である。
【図５】図２の鍵盤蓋装置を鍵盤蓋の開放位置において示す側面図である。
【図６】従来のアップライトピアノの鍵盤蓋装置を鍵盤蓋の閉鎖位置において示す側面図である。
【図７】図６の閉鎖位置から第１蓋本体を折りたたんだ状態を示す側面図である。
【図８】図６の鍵盤蓋装置を鍵盤蓋の開放位置において示す側面図である。
【発明を実施するための最良の形態】
【００２０】
以下、図面を参照しながら、本発明の好ましい実施形態を、詳細に説明する。なお、以下の説明では、電子ピアノ（鍵盤楽器）を演奏者から見た場合の手前側（図２の右側）を「前」、奥側（図２の左側）を「後」とし、さらに鍵の並び方向を「左右方向」として、説明を行うものとする。図２〜図５は、本発明の実施形態による鍵盤蓋装置１を適用した電子ピアノ２を示している。これらの図に示すように、この電子ピアノ２のピアノ本体３は、ケース４と、このケース４内に配置された複数の鍵８からなる鍵盤ＫＢと、鍵盤ＫＢを開閉する鍵盤蓋９などで構成されている。ケース４は、左右の腕木５，５（一方のみ図示）と、両腕木５，５の下部間に水平に固定された棚板６と、棚板６の上面前端部に取り付けられた口棒２８と、両腕木５，５の後半部間に固定され、この部分を水平に覆う屋根７などを有している。屋根７は、その前端部に、下方に若干延びる屋根前付７ａを有している。
【００２１】
鍵８は、白鍵８ａと黒鍵８ｂで構成されており、それらの中央部に形成されたバランスピン孔８ｃを介して、棚板６に取り付けられたシャーシ１０から立設するバランスピン１１に、揺動自在に支持されている。鍵８の上面後端部には、鍵８ごとに、ハンマー１２（１つのみ図示）が載置されている。
【００２２】
ハンマー１２は、前後方向に延び、その後端部において、シャーシ１０に回動自在に支持されている。ハンマー１２の上方には、鍵８の押鍵情報を検出するための鍵スイッチ１３が設けられている。この鍵スイッチ１３は、シャーシ１０に取り付けられたプリント基板１３ａと、その下面に設けられたスイッチ本体１３ｂなどで構成されている。また、シャーシ１０には、鍵８の押鍵時におけるハンマー１２の上方への回動を規制するためのハンマーストッパ１０ａが設けられている。
【００２３】
以上の構成において、図２に示す離鍵状態から鍵８を押鍵すると、鍵８はバランスピン１１を中心として、同図の時計方向に回動する。この回動に伴い、ハンマー１２が上方へ突き上げられることによって、ハンマー１２は、その後端部を中心として反時計方向に回動し、シャーシ１０のハンマーストッパ１０ａに当接することによって、その回動が規制される（図５参照）。また、このハンマー１２の回動の途中で、ハンマー１２が鍵スイッチ１３のスイッチ本体１３ｂを押圧することによって、鍵８の押鍵情報が検出され、図示しない制御装置により、検出された押鍵情報に応じて、電子ピアノ２の発音が制御される。また、鍵８が押鍵状態から離鍵されると、鍵８およびハンマー１２はそれぞれ、上記と逆方向に回動することによって、図２に示す離鍵状態に復帰し、ハンマー１２が、スイッチ本体１３ｂの下方から所定の間隔をもって対向する。
【００２４】
鍵盤蓋９は、例えば木材で構成されており、図２に示すように、両腕木５，５の前半部間に配置されている。鍵盤蓋９は、鍵盤ＫＢの上方に互いに前後に配置された第１蓋本体１５および第２蓋本体１６からなる蓋本体１４と、蓋後付１７を備えている。図１（ａ）に示すように、第１蓋本体１５は、平板部１５ａ、およびその前端部から垂直に垂下する垂下部１５ｂとから、一体に構成されている。また、第１蓋本体１５は、平板部１５ａの後端部において、第１蝶番１８を介して第２蓋本体１６に回動自在に連結されている。第２蓋本体１６は、厚い板状のものであり、その左右の側面には、そのほぼ全体にわたって、所定の深さを有する座ぐり１６ａ，１６ａ（一方のみ図示）が形成されている。この座ぐり１６ａは、後述するステー１９を取り付けるためのものであり、上方が閉鎖され、下方が開放している。この座ぐり１６ａの底面には、ステー１９を取り付けるための複数（本例では３つ）の穴１６ｂが、前後方向に並んで設けられている。また、第２蓋本体１６の下面の所定の位置には、左右２つの取手２５（１つのみ図示）が取り付けられている。
【００２５】
蓋後付１７は、第２蓋本体１６の後端部に、第２蝶番２０を介して、回動自在に連結されている。後述するように、蓋後付１７は直立した閉鎖位置とそれよりも後方の開放位置との間で回動するため、蓋後付１７には、その自重により、これを後方に回動させる方向のモーメントが常に作用する。蓋後付１７は、厚い板状のものであり、その左右の側面には、その先端部（第２蝶番２０と反対側の端部）に、側方に水平に突出する一対のガイドピン２１，２１（１つのみ図示）が設けられている。蓋後付１７の背面には、左右の閉鎖時ストッパ２２，２２（１つのみ図示）が、互いに間隔を隔てて設けられている。各閉鎖時ストッパ２２は、本体部２２ａと、その先端部に取り付けられたストッパ部２２ｂで構成されている。本体部２２ａは、例えば金属などで構成されており、その下端部の取付部２２ｃにおいて、蓋後付１７の背面の先端部にねじ２８で取り付けられており、蓋後付１７の先端の位置から斜め上方に延び、さらにその先端から蓋後付１７の背面と平行に延びるストッパ取付部２２ｄを有している。ストッパ部２２ｂは、例えばゴムなどの弾性材料で構成され、本体部２２ａのストッパ取付部２２ｄの前面に取り付けられている。また、蓋後付１７の左右の側面には、所定の深さを有するとともに、前方が閉鎖され且つ後方に開放した座ぐり１７ａ，１７ａ（１つのみ図示）が、それぞれ形成されている。
【００２６】
ステー１９は、蓋後付１７の自重による後方への回動を規制するとともに、蓋後付１７を開放時の状態から持ち上げる役割を果たすものである。ステー１９は、例えばプレス加工された金属板などで構成され、図１（ｂ）に示すように、前後方向に延びる第１支持部１９ａと、その後端部から上方に直角に延びる第２支持部１９ｂとから、Ｌ字状に形成され、その角部には被支持用凹部１９ｃが形成されている。第１支持部１９ａは、第２蓋本体１６の座ぐり１６ａとほぼ同じ形状および大きさを有している。第１支持部１９ａには、第２蓋本体１６の穴１６ｂに対応する位置に、３つの孔１９ｄが形成されている。以上の構成により、第１支持部１９ａの孔１９ｄを介して第２蓋本体１６の各穴１６ｂに通したねじ２６を締め付けることによって、ステー１９は、その第１支持部１９ａが座ぐり１６ａに収容された状態で、第２蓋本体１６に固定されている。
【００２７】
一方、第２支持部１９ｂは、蓋後付１７の座ぐり１７ａとほぼ同じ形状および大きさを有している。また、第２支持部１９ｂの厚さは、座ぐり１７ａの深さよりも若干小さい。また、第２支持部１９ｂには、その先端部から後方に延び、さらに内方に突出する押圧部１９ｅが、一体に形成されており、この押圧部１９ｅの前面に、例えばゴムなどからなる押圧用のクッション２９が取り付けられている。
【００２８】
また、各腕木５の内側面の所定の位置には、図２に示すように、内方に突出する一対の支軸（支点）２３，２３（１つのみ図示）が設けられており、各支軸２３にステー１９の被支持用凹部１９ｃが係合することにより、鍵盤蓋９はステー１９を介して、左右の腕木５，５に回動自在に支持されている。また、各腕木５の内側面には、ガイド溝５ａが形成されている。このガイド溝５ａは、支軸２３を中心とする円弧状に形成され、屋根７の屋根前付７ａの下方の位置から、後方に所定の長さで延びている。このガイド溝５ａに、蓋後付１７のガイドピン２１が係合しており、この係合によって、蓋後付１７がその回動の際に案内されるとともに、蓋後付１７が腕木５から抜け出ないようになっている。また、ガイド溝５ａの後端部には、斜め下方に拡幅された逃げ部５ｂが形成されている。
【００２９】
また、腕木５の各内側面には、ガイド溝５ａの後端よりも若干後ろ側に開放時ストッパ２４が設けられている。この開放時ストッパ２４は、蓋後付１７の後方への回動を規制するためのものである。さらに、ガイド溝５ａよりも下方の所定の位置には、ステーストッパ２７が設けられており、このステーストッパ２７は、ステー１９の下方への回動を規制するためのものである。
【００３０】
図２に示す閉鎖位置では、蓋後付１７の閉鎖時ストッパ２２が屋根７の屋根前付７ａの背面に当接するとともに、第１蓋本体１５の垂下部１５ｂは棚板６の口棒２８に当接している。また、ステー１９の第２支持部１９ｂは、蓋後付１７の座ぐり１７ａに係合している。さらに、第２支持部１９ｂの押圧部１９ｅが、蓋後付１７の背面に当接し、蓋後付１７がその自重により後方へ回動するのを防止している。これにより、鍵盤蓋９は、ステー１９を介して、蓋本体１４と蓋後付１７から側面形状がＬ字状に保持されており、水平な蓋本体１４は鍵盤ＫＢの前半部を上方から覆い、鉛直な蓋後付１７は屋根前付７ａと鍵盤ＫＢとの間の開口７ｂを塞いでいる。
【００３１】
次に、上記構成の鍵盤蓋装置１による鍵盤蓋９の開閉動作を、図２〜図５を参照しながら説明する。
【００３２】
この閉鎖位置から鍵盤蓋９を開放する場合には、まず、第１蓋本体１５の前端部を押し上げる。これにより、第１蓋本体１５は、第１蝶番１８を中心として同図の反時計方向に回動し、第２蓋本体１６の上面に当接することにより、第２蓋本体１６に対して折りたたまれた状態となる（図３参照）。次に、第２蓋本体１６を押し上げる。これにより、蓋本体１４がステー１９と一体に、支軸２３を中心として反時計方向に回動する。この回動の初期においては、蓋後付１７は、第２支持部１９ｂの押圧部１９ｅに支持されながら、その自重により後方に回動するので、蓋本体１４と蓋後付１７は、その側面形状をＬ字状に保持したまま回動する。このとき、蓋後付１７は、そのガイドピン２１がガイド溝５ａに案内されながら回動する。
【００３３】
この回動の途中、鍵盤蓋９が所定の角度まで回動したときに、蓋後付１７の左右の両端部が、開放時ストッパ２４に当接することによって、蓋後付１７の後方への回動が阻止される（図４参照）。その後、回動がさらに進むと、蓋後付１７は開放時ストッパ２４に当接した位置に保持される一方で、ステー１９および蓋本体１４が回動する。これに伴い、ステー１９の第２支持部１９ｂが蓋後付１７の座ぐり１７ａから外れ、蓋本体１４のみがステー１９とともに回動する。この回動の際、蓋本体１４は、第２蝶番２０を中心として、蓋後付１７に対して折りたたまれながら回動する。このとき、第２蝶番２０の回動中心が支軸２３を中心として反時計方向に回るのに伴い、蓋後付１７のガイドピン２１がガイド溝５ａの逃げ部５ｂに沿って下方に逃げることによって、蓋後付１７は、ずり下がりながら下方へ案内される。このステー１９および蓋本体１４の回動は、第２支持部１９ｂの押圧部１９ｅが腕木５のステーストッパ２７の上面に当接することによって終了する。これにより、鍵盤蓋９は、開放位置に位置決めされ、鍵盤ＫＢが開放される（図５参照）。この状態では、鍵盤蓋９は、ケース４内に収容されるとともに、蓋本体１４の第２蓋本体１６が、屋根前付７ａとの間の開口７ｂを塞いでいる。
【００３４】
一方、この開放位置から第２蓋本体１６の取手２５をつまみ、鍵盤蓋９を手前側に引くと、蓋本体１４およびステー１９が、支軸２３を中心として同図の時計方向に回動する。この回動の初期においては、蓋本体１４は、第２蝶番２０を中心として蓋後付１７に対して広がりながら回動する。この回動の途中で、ステー１９の第２支持部１９ｂが、座ぐり１７ａの閉鎖された縁部に当接した状態で、蓋後付１７に収容されるとともに、ステー１９の第２支持部１９ｂの押圧部１９ｅが、クッション２９を介して蓋後付１７の背面に当接する（図４参照）。これにより、第２支持部１９ｂの押圧部１９ｅが蓋後付１７を押圧し、持ち上げることによって、蓋本体１４と蓋後付１７は、ステー１９を介して一体になった状態で、Ｌ字状に保持されながら回動する。
【００３５】
この回動は、蓋後付１７の閉鎖時ストッパ２２が屋根７の屋根前付７ａに当接することによって終了し、蓋後付１７が閉鎖位置に位置決めされる（図３参照）。この状態から第１蓋本体１５を手前側に引くと、第１蓋本体１５が、第１蝶番１８を中心として時計方向に回動し、その垂下部１５ｂが口棒２８に当接することによって、鍵盤蓋９の閉鎖動作が終了し、鍵盤蓋９が、図２に示す閉鎖位置に復帰する。
【００３６】
以上のように、本実施形態によれば、閉鎖位置から開放位置側に鍵盤蓋９を回動させると、その回動の途中で、蓋後付１７の左右の両端部が開放時ストッパ２４に当接することによって、蓋後付１７を開放時ストッパ２４に当接した位置に残したまま、蓋本体１４が蓋後付１７に対して折りたたまれながら開放位置まで回動するので、蓋後付１７の回動空間を小さくすることができる。一方、開放位置から閉鎖位置側に鍵盤蓋９を回動させると、その回動の初期においては、蓋後付１７が開放時ストッパ２４に当接した状態に保持されるとともに、蓋本体１４は蓋後付１７に対して広がりながら回動する。そして、この回動の途中で、第２支持部１９ｂの押圧部１９ｅが、蓋後付１７に当接することによって、これを押圧し、持ち上げる。その後は、蓋本体１４と蓋後付１７は、ステー１９を介して一体になった状態で、Ｌ字状に保持されながら、閉鎖位置まで回動する。
【００３７】
このように、本実施形態によれば、鍵盤蓋９を開放位置と閉鎖位置の間で回動させる際に、蓋後付１７の回動空間を小さくすることができ、それにより、鍵盤蓋９をコンパクトに開閉することができる。その結果、ハンマー１２の回動動作を支障なく行うことができる。また、従来の鍵盤蓋の開閉動作と同様、鍵盤蓋９を押したり引いたりするだけの操作で、上記の動作を得ることができる。
【００３８】
また、鍵盤蓋９が閉鎖位置側に回動したときに、蓋後付１７に設けられた閉鎖時ストッパ２２が屋根７の屋根前付７ａに当接することによって、蓋後付１７を、閉鎖位置を超えて回動しすぎないように、閉鎖位置に位置決めすることができる。
【００３９】
また、蓋後付１７の側面に、前方が閉鎖され且つ後方に開放した座ぐり１７ａが形成されているので、鍵盤蓋９の開放位置側への回動の途中で、蓋後付１７が開放時ストッパ２４に当接したときに、ステー１９の第２支持部１９ｂが蓋後付１７から容易に外れる。一方、鍵盤蓋９の閉鎖位置側への回動の途中で、ステー１９の第２支持部１９ｂが蓋後付１７に係合する際には、この第２支持部１９ｂは、座ぐり１７ａの閉鎖された縁部に当接することによって、蓋後付１７に係止される。したがって、蓋後付１７へのステー１９の第２支持部１９ｂの係合と、両者が一体になった状態での閉鎖位置までの回動を円滑かつ確実に行うことができる。また、蓋後付１７の座ぐり１７ａの深さが、ステー１９の厚さよりも若干大きく設定されているので、蓋後付１７とステー１９の側面をほぼ面一にすることができ、したがって、閉鎖位置において第２支持部１９ｂを蓋後付１７にコンパクトに収容することができる。
【００４０】
さらに、第２支持部１９ｂに設けられた押圧部１９ｅが、鍵盤蓋９の閉鎖位置側への回動の途中で、蓋後付１７に後方から当接することによって、これを押圧し、持ち上げるので、蓋後付１７を閉鎖位置まで確実に回動させることができる。
【００４１】
さらには、蓋本体１４の第１および第２の蓋本体１５，１６は、第１蝶番１８を介して、互いに回動自在に連結されているので、鍵盤蓋１４を開放する際に、第１蓋本体１５を第２蓋本体１６に対してあらかじめ、折りたたむことによって、蓋本体１４全体としての回動空間を小さくすることができる。また、閉鎖位置において蓋後付１７が覆っていた屋根前付７ａとの間の開口７ｂを、開放位置において、蓋本体１４の第２蓋本体１６によってぴったりと覆うことができる。
【００４２】
なお、本発明は、説明した実施形態に限定されることなく、種々の態様で実施することができる。例えば、説明した実施形態では、鍵盤蓋９が回動する際の回動支点を、腕木５に設けているが、これに限らないことは言うまでもなく、ピアノ本体３側の他の適当な部位に設けてもよい。また、本実施形態では、押圧部１９ｅを、第２支持部１９ｂの先端部に設けているが、第２支持部１９ｂの他の部分、または第２支持部１９ｂ全体に設けてもよい。さらに、本実施形態では、ステー１９を、鍵盤蓋９の左右の側面に設けているが、鍵盤蓋９の一方のみに設けてもよい。さらには、本実施形態は、本発明を電子ピアノに適用した例であるが、本発明を、これに限らず、シンセサイザなどの他のタイプの電子楽器、あるいはアコースティックピアノなどに適用してもよいことは、もちろんである。その他、本発明の趣旨の範囲内で、細部を適宜、変更することが可能である。
【符号の説明】
【００４３】
１  鍵盤蓋装置
２  電子ピアノ（鍵盤楽器）
３  ピアノ本体（楽器本体）
５  腕木
９  鍵盤蓋
１４  蓋本体
１５  第１蓋本体
１６  第２蓋本体
１７  蓋後付
１７ａ  座ぐり
１９  ステー
１９ａ  第１支持部
１９ｂ  第２支持部
１９ｃ  被支持用凹部
１９ｅ  押圧部
２２  閉鎖時ストッパ
２３  支軸（支点）
２４  開放時ストッパ
ＫＢ  鍵盤
【図１】
2005292415.tif 000003
【図２】
2005292415.tif 000004
【図３】
2005292415.tif 000005
【図４】
2005292415.tif 000006
【図５】
2005292415.tif 000007
【図６】
2005292415.tif 000008
【図７】
2005292415.tif 000009
【図８】
2005292415.tif 000010